(57)【要約】【課題】通信装置において、高周波信号処理部で発生する直流オフセットを簡易な構成で補正する。【解決手段】アンテナ切替部１１や信号系路切替部４１を用いて、信号系路を、直流オフセット成分を検出するための基準信号Ｓ６２，Ｓ６８をＲＦ信号処理部１０に供給する測定系路に切り替える。基準信号Ｓ６２，Ｓ６８についてＲＦ信号処理部１０から出力された測定信号と、基準信号Ｓ６２，Ｓ６８に対応する調整信号Ｓ６０，Ｓ６４，Ｓ６６とに基づき、ＲＦ信号処理部１０で発生する直流オフセット成分を検出しデータ保持部７０に格納しておく。信号系路をメインパスに切り替え、オフセットキャンセル部６０の加算器６２，６４において、データ保持部７０から読み出した直流オフセット成分を示すデータＳ５２，Ｓ５８に基づいて、ＲＦ信号処理部１０から出力されるメインの信号に含まれる、ＲＦ信号処理部１０にて発生する直流オフセット成分をキャンセルする。【選択図】図１
2005244287.tif 000002
【特許請求の範囲】
【請求項１】
送信装置や受信装置などに設けられている高周波信号処理部に発生する直流成分の影響を低減する直流オフセット補正方法であって、
信号系路を、前記高周波信号処理部にて発生する直流オフセット成分を検出するための基準信号を前記高周波信号処理部に供給する測定系路に切り替えた状態で、
前記基準信号について前記高周波信号処理部から出力された測定信号と、前記基準信号に対応する調整信号とに基づいて、前記高周波信号処理部にて発生する直流オフセット成分を検出し、
この検出した直流オフセット成分を示すデータを所定のデータ保持部に格納し、
この後、前記信号系路を、取り込んだ前記高周波信号もしくは前記高周波信号処理部に供給されるベースバンド信号を処理対象とするメイン信号系路に切り替えた状態で、
前記データ保持部から読み出した前記直流オフセット成分を示すデータに基づいて、前記高周波信号処理部から出力される信号に含まれる、当該高周波信号処理部にて発生する直流オフセット成分をキャンセルする
ことを特徴とする直流オフセット補正方法。
【請求項２】
取り込んだ高周波信号を復調するもしくはベースバンド信号を変調する高周波信号処理部と、
前記高周波信号もしくは前記ベースバンド信号を処理対象とするメイン信号系路と、前記高周波信号処理部にて発生する直流オフセット成分を検出するための基準信号を前記高周波信号処理部に供給して前記直流オフセット成分を検出する測定系路とを切り替える信号系路切替部と、
前記基準信号について前記高周波信号処理部から出力された測定信号と、前記基準信号に対応する調整信号とに基づいて、前記高周波信号処理部にて発生する直流オフセット成分を検出する直流オフセット検出部と、
前記直流オフセット検出部により検出された前記直流オフセット成分を示すデータを保持するデータ保持部と、
前記データ保持部から読み出した前記直流オフセット成分を示すデータに基づいて、前記高周波信号処理部から出力される信号に含まれる、当該高周波信号処理部にて発生する直流オフセット成分をキャンセルするオフセットキャンセル部と
を備えたことを特徴とする通信装置。
【請求項３】
前記高周波信号処理部は、送信装置から送信された前記高周波信号を復調してベースバンド信号を生成する受信高周波信号処理部を有し、
前記オフセットキャンセル部は、前記受信高周波信号処理部にて発生する前記直流オフセット成分をキャンセルする
ことを特徴とする請求項２に記載の通信装置。
【請求項４】
前記高周波信号処理部は、送信信号を生成する処理機能部から出力された前記ベースバンド信号を変調して送信用の高周波信号を生成する送信高周波信号処理部を有し、
前記オフセットキャンセル部は、前記送信高周波信号処理部にて発生する前記直流オフセット成分をキャンセルする
ことを特徴とする請求項２に記載の通信装置。
【請求項５】
前記送信高周波信号処理部から出力された信号を復調する検出用高周波信号処理部をさらに備え、
前記直流オフセット検出部は、前記検出用高周波信号処理部から出力された送信系統の前記基準信号に対応する送信系統の測定信号としての復調測定信号と、送信系統の前記調整信号とに基づいて、前記送信高周波信号処理部にて発生する直流オフセット成分を検出する
ことを特徴とする請求項４に記載の通信装置。
【請求項６】
前記直流オフセット検出部は、前記検出用高周波信号処理部にて発生する直流オフセット成分を検出するための基準信号について前記検出用高周波信号処理部から出力された測定信号と、前記検出用高周波信号処理部についての前記基準信号に対応する調整信号とに基づいて、前記検出用高周波信号処理部にて発生する直流オフセット成分を検出して前記データ保持部に格納し、
前記オフセットキャンセル部は、前記データ保持部から読み出した前記検出用高周波信号処理部についての直流オフセット成分を示すデータと、前記復調測定信号に含まれる直流オフセット成分を示すデータとに基づいて、前記検出用高周波信号処理部にて発生する前記直流オフセット成分をキャンセルしつつ、前記送信高周波信号処理部にて発生する前記直流オフセット成分をキャンセルする
ことを特徴とする請求項５に記載の通信装置。
【請求項７】
前記高周波信号処理部は、送信信号を生成する処理機能部から出力された前記ベースバンド信号を変調して送信用の高周波信号を生成する送信高周波信号処理部をさらに有し、
前記オフセットキャンセル部は、前記送信高周波信号処理部にて発生する前記直流オフセット成分をキャンセルする
ことを特徴とする請求項３に記載の通信装置。
【請求項８】
前記受信高周波信号処理部は、送信系統の前記基準信号について前記送信高周波信号処理部から出力された送信系統の測定信号を復調し、
前記直流オフセット検出部は、前記受信高周波信号処理部から出力された前記送信系統の前記基準信号に対応する前記復調測定信号と、送信系統の前記調整信号とに基づいて、前記送信高周波信号処理部にて発生する直流オフセット成分を検出する
ことを特徴とする請求項７に記載の通信装置。
【請求項９】
前記直流オフセット検出部は、前記受信高周波信号処理部から出力された送信系統の前記測定信号に含まれる直流オフセット成分を検出して前記データ保持部に格納し、
前記オフセットキャンセル部は、前記データ保持部から読み出した前記受信高周波信号処理部にて発生する直流オフセット成分を示すデータと、前記復調測定信号に含まれる直流オフセット成分を示すデータとに基づいて、前記受信高周波信号処理部にて発生する前記直流オフセット成分をキャンセルしつつ、前記送信高周波信号処理部にて発生する前記直流オフセット成分をキャンセルする
ことを特徴とする請求項８に記載の通信装置。
【請求項１０】
前記オフセットキャンセル部は、デジタル信号処理により前記直流オフセット成分をキャンセルする
ことを特徴とする請求項２に記載の通信装置。
【請求項１１】
前記高周波信号処理部から出力されたベースバンド信号をデジタルデータに変換するＡ／Ｄ変換部
をさらに備え、
前記直流オフセット検出部は、前記Ａ／Ｄ変換部により変換されたデジタルデータに含まれている直流オフセット成分を検出して前記データ保持部に格納し、
前記オフセットキャンセル部は、前記データ保持部から読み出した前記Ａ／Ｄ変換部により変換されたオフセット成分を示すデータに基づいて、前記高周波信号処理部から出力され前記Ａ／Ｄ変換部で変換されたデジタルデータに含まれる前記直流オフセット成分をキャンセルする
ことを特徴とする請求項１０に記載の通信装置。
【請求項１２】
デジタルの前記ベースバンド信号をアナログ信号に変換して前記高周波信号処理部に供給するＤ／Ａ変換部
をさらに備えたことを特徴とする請求項１０に記載の通信装置。
【請求項１３】
前記直流オフセット検出部は、減算器もしくは加算器を含んで構成されている
ことを特徴とする請求項２に記載の通信装置。
【請求項１４】
前記オフセットキャンセル部は、減算器もしくは加算器を含んで構成されている
ことを特徴とする請求項２に記載の通信装置。
【請求項１５】
取り込んだ高周波信号を復調するもしくはベースバンド信号を変調する高周波信号処理部を備えた装置であって、
前記取り込んだ高周波信号もしくは前記ベースバンド信号を処理対象とするメイン信号系路と、前記高周波信号処理部にて発生する直流オフセット成分を検出するための基準信号を前記高周波信号処理部に供給して前記直流オフセット成分を検出する測定系路とを切り替える信号系路切替部と、
前記基準信号について前記高周波信号処理部から出力された測定信号と、前記基準信号に対応する調整信号とに基づいて、前記高周波信号処理部にて発生する直流オフセット成分を検出する直流オフセット検出部と、
前記直流オフセット検出部により検出された前記直流オフセット成分を示すデータを保持するデータ保持部と、
前記データ保持部から読み出した前記直流オフセット成分を示すデータに基づいて、前記高周波信号処理部から出力される信号に含まれる、当該高周波信号処理部にて発生する直流オフセット成分をキャンセルするオフセットキャンセル部と
を備えたことを特徴とする高周波信号処理装置。
【請求項１６】
取り込んだ高周波信号を復調するもしくはベースバンド信号を変調する高周波信号処理部に発生する直流オフセットを補正する直流オフセット補正装置であって、
前記高周波信号処理部にて発生する直流オフセット成分を検出するための基準信号について前記高周波信号処理部から出力された測定信号と、前記基準信号に対応する調整信号とに基づいて、前記高周波信号処理部にて発生する直流オフセット成分を検出する直流オフセット検出部と、
前記直流オフセット検出部により検出された前記直流オフセット成分を示すデータを保持するデータ保持部と、
前記データ保持部から読み出した前記直流オフセット成分を示すデータに基づいて、前記高周波信号処理部から出力される信号に含まれる、当該高周波信号処理部にて発生する直流オフセット成分をキャンセルするオフセットキャンセル部と
を備えたことを特徴とする直流オフセット補正装置。
【請求項１７】
送信系統の前記高周波信号処理部である送信高周波信号処理部にて発生する直流オフセット成分を検出するための送信系統の基準信号を前記送信高周波信号処理部に供給して前記直流オフセット成分を検出する測定系路と、前記ベースバンド信号を処理対象とするように前記送信高周波信号処理部に供給するメイン信号系路とを切り替える信号系路切替部  をさらに備えたことを特徴とする請求項１６に記載の直流オフセット補正装置。
【請求項１８】
取り込んだ高周波信号を復調するもしくはベースバンド信号を変調する高周波信号処理部を備えた装置であって、
前記取り込んだ高周波信号もしくは前記ベースバンド信号を処理対象とするメイン信号系路と、前記高周波信号処理部にて発生する直流オフセット成分を検出するための基準信号を前記高周波信号処理部に供給して前記直流オフセット成分を検出する測定系路とを切り替える信号系路切替部
を備えたことを特徴とする高周波信号処理装置。
【請求項１９】
送信系統の前記基準信号について前記送信高周波信号処理部から出力された送信系統の測定信号を復調する検出用高周波信号処理部をさらに備え、
前記信号系路切替部は、前記ベースバンド信号を処理対象とする送信系統のメイン信号系路と、前記高周波信号処理部にて発生する直流オフセット成分を検出するための基準信号を前記送信高周波信号処理部で処理した信号を、前記検出用高周波信号処理部に供給する測定系路とを切り替える
ことを特徴とする請求項１８に記載の高周波信号処理装置。
【発明の詳細な説明】
【技術分野】
【０００１】
本発明は、高周波信号処理部に発生する直流成分の影響を低減する直流オフセット補正方法および直流オフセット補正装置、並びにこの直流オフセット補正方法を適用した高周波信号処理装置や通信装置に関する。
【背景技術】
【０００２】
通信システムを構成する送信装置や受信装置においては、ＲＦ（Radio frequency ；高周波）信号を取り扱う変調部や復調部（高周波信号処理部）が設けられる。
【０００３】
図１０は、送信装置と受信装置とが一体的に構成された従来の通信装置を示した概略図である。
【０００４】
図１０に示すように、この通信装置１は、ＲＦ信号処理部１０と、ベースバンド信号処理部３０とを有している。ＲＦ信号処理部１０は、アンテナ３を受信用と送信用とに切り替えるアンテナ切替部１２を有する。またＲＦ信号処理部１０は、受信側の信号処理系統として、アンテナ切替部１２からの受信ＲＦ信号に対して信号処理を行なう受信ＲＦ信号処理部１４、および送信側の信号処理系統として、ベースバンド信号処理部３０からの変調対象データ（送信信号）に対して信号処理を行なう送信ＲＦ信号処理部２６を有する。
【０００５】
受信ＲＦ信号処理部１４や送信ＲＦ信号処理部２６には、図示を割愛するが、たとえばたとえば２つの直交ミキサや局部発振器（Local Oscillator）や９０度移相部などが設けられる。
【０００６】
ベースバンド信号処理部３０には、図示を割愛するが、たとえば帯域制限するローパスフィルタ、信号増幅を行なうアンプ（増幅回路）、アナログ信号をデジタル信号に変換するＡ／Ｄ変換器、復調や変調を行なう変復調処理部などが設けられ、所望の変調対象データを変調したり、映像信号や音声信号を表す所定の復調データを生成したりする。
【０００７】
しかしながら、ＲＦ信号処理部１０などのアナログ信号処理部では、様々な要因によって、基準の直流レベルに対するずれの成分（直流成分）である、いわゆる直流オフセットを持つ。
【０００８】
このような、直流オフセットがあると、たとえば受信系統では、ＲＦ回路の後段に配されるベースバンド回路の入力レベルにばら付きを持ち、その影響が問題となる。たとえばデジタル信号処理を行なう場合であれば、Ａ／Ｄ変換回路のダイナミックレンジを有効活用できなくなる。
【０００９】
また、送信系統でも、ＲＦ回路の前段に配されるベースバンド回路の出力レベルが犠牲になり、デジタル信号処理を行なう場合であれば、Ｄ／Ａ変換回路のダイナミックレンジを有効活用できなくなる。
【００１０】
このような直流オフセットの問題を解消する技術として、様々な手法が考えられている（たとえば、特許文献１を参照）。
【００１１】
【特許文献１】特開平１１−１６８５１６号公報
【発明の開示】
【発明が解決しようとする課題】
【００１２】
しかしながら、従来の直流オフセットの手法では、直流オフセットをキャンセルするための回路は、オフセット成分を検出する回路や、検出結果に基づいてオフセット成分を除去する回路などのために、ある程度の大きさの回路システムを必要とした。そのため、回路規模が大きくなってしまう。
【００１３】
たとえば、特許文献１に記載の技術では、遅延させた受信データとそのままの受信データをオフセット検出器に入れることで直流オフセットを検出するようにしている。このシステムでは、送信側で送信データにトレーニング系列を先頭に持たせてやらなければならない。また、送信側にトレーニング系列を付加する回路が必要になってくる。受信側においても遅延素子や移送シフタなどの回路システムが必要になり、回路規模の増大となってしまう。補正手順についてもかなり複雑となっている。
【００１４】
本発明は、上記事情に鑑みてなされたものであり、より簡易な構成で、高周波信号処理回路で発生する直流成分の影響を軽減することのできる仕組みを提供することを目的とする。
【課題を解決するための手段】
【００１５】
本発明に係る直流オフセット補正方法においては、先ず、信号系路を、高周波信号処理部にて発生する直流オフセット成分を検出するための基準信号を高周波信号処理部に供給する測定系路に切り替える。そして、この状態で、基準信号について高周波信号処理部から出力された測定信号と、基準信号に対応する調整信号とに基づいて、高周波信号処理部にて発生する直流オフセット成分を検出し、この検出した直流オフセット成分を示すデータを所定のデータ保持部に格納しておく。
【００１６】
この後、信号系路を、取り込んだ高周波信号もしくは高周波信号処理部に供給されるベースバンド信号を処理対象とするメイン信号系路に切り替える。そしてこの状態で、データ保持部から読み出した直流オフセット成分を示すデータに基づいて、高周波信号処理部から出力されるメインの信号に含まれる、高周波信号処理部にて発生する直流オフセット成分をキャンセルすることとした。
【００１７】
ここで、基準信号と対応する調整信号とは、高周波信号処理部が直流オフセット成分を持たないとした場合に、基準信号をキャンセルする成分である。
【００１８】
つまり、本発明に係る直流オフセット補正方法では、信号系路の切り替えと連動して、先ず基準信号を高周波信号処理部に供給して、その出力を検出し、この検出した信号と調整信号とから、高周波信号処理部が持つ直流オフセット成分を抽出して、これをデータ保持部に保存しておく。この後、通常の信号系路であるメインパスに切り替えたときに、データ保持部に保存しておいた直流オフセット成分を使って、メインパス上で発生している直流オフセット成分をキャンセルする。
【００１９】
本発明に係る高周波信号処理装置は、上記本発明に係る直流オフセット補正方法を適用した装置であって、取り込んだ高周波信号もしくはベースバンド信号を処理対象とするメイン信号系路と、高周波信号処理部にて発生する直流オフセット成分を検出するための基準信号を高周波信号処理部に供給して直流オフセット成分を検出する測定系路とを切り替える信号系路切替部とを備えるものとした。
【００２０】
そして、直流オフセット検出用の基準信号について高周波信号処理部から出力された測定信号と基準信号に対応する調整信号とに基づいて、高周波信号処理部にて発生する直流オフセット成分を検出する直流オフセット検出部と、直流オフセット検出部により検出された直流オフセット成分を示すデータを保持するデータ保持部と、データ保持部から読み出した直流オフセット成分を示すデータに基づいて、高周波信号処理部から出力される信号に含まれる直流オフセット成分をキャンセルするオフセットキャンセル部とを備えるものとした。
【００２１】
本発明に係る通信装置は、上記本発明に係る直流オフセット補正方法を適用した受信装置や送信装置などの通信装置であって、基本的には、前述の本発明に係る高周波信号処理装置と同様の構成を備えるものとした。
【００２２】
受信装置において受信高周波信号処理部で発生する直流オフセット成分を検出する際には、受信系統の基準信号について受信高周波信号処理部から出力された、復調済みの受信系統の測定信号を使用できるので、ベースバンド帯で直流オフセット成分を検出でき、直流オフセット検出部をコンパクトな回路構成にできる。
【００２３】
送信装置において送信高周波信号処理部で発生する直流オフセット成分を検出する際には、送信系統の基準信号について送信高周波信号処理部から出力された送信系統の測定信号を復調する検出用高周波信号処理部を設け、この検出用高周波信号処理部から出力された復調測定信号と送信系統の調整信号とに基づいて、送信高周波信号処理部にて発生する直流オフセット成分を検出するのがよい。
【００２４】
この場合、先ず、検出用高周波信号処理部にて発生する直流オフセット成分を検出するための基準信号について検出用高周波信号処理部から出力された測定信号と、検出用高周波信号処理部についての基準信号に対応する調整信号とに基づいて、検出用高周波信号処理部にて発生する直流オフセット成分を検出してデータ保持部に格納しておくことで、送信高周波信号処理部に送信系統の基準信号を供給することで検出用高周波信号処理部から出力される復調測定信号に含まれる直流オフセット成分を示すデータとデータ保持部から読み出した検出用高周波信号処理部にて発生する直流オフセット成分を示すデータとに基づいて、検出用高周波信号処理部にて発生する直流オフセット成分をキャンセルしつつ、送信高周波信号処理部にて発生する直流オフセット成分をキャンセルするようにするのがよい。
【００２５】
送信高周波信号処理部に発生する直流オフセット成分を検出するに際して、高周波帯で検出する手法もとり得るが、概して回路構成が複雑になる。これに対して、検出用高周波信号処理部を設けることで、受信系統の受信高周波信号処理部についての直流オフセット成分を求める手法と同様にベースバンド帯で検出する手法を適用できるようになる利点が得られる。
【００２６】
なお、受信装置と送信装置とを一体的に構成する場合、受信装置側に備えられる受信高周波信号処理部を検出用高周波信号処理部として機能させて直流オフセット成分を検出するのがよい。つまり、送信系統の直流オフセット成分を検出する機能部分の一部を、受信系統の直流オフセット成分を検出する機能部分で担当させるのがよい。
【００２７】
また、オフセットキャンセル部は、デジタル信号処理により直流オフセット成分をキャンセルする構成とするのがよい。この場合、ベースバンド信号処理部をデジタル信号処理回路で構成し、これと連結して直流オフセット検出部やオフセットキャンセル部を配するのがよい。
【００２８】
アナログ処理回路で構成される高周波信号処理部とベースバンド信号処理部との間のインタフェースとして、受信系統であれば、高周波信号処理部から出力されたベースバンド信号をデジタルデータに変換するＡ／Ｄ変換部を設け、Ａ／Ｄ変換部により変換されたデジタルデータに含まれている直流オフセット成分を直流オフセット検出部で検出してデータ保持部に格納しておき、データ保持部から読み出したＡ／Ｄ変換部により変換されたオフセット成分を示すデータに基づいて、高周波信号処理部から出力されＡ／Ｄ変換部で変換されたデジタルデータに含まれる直流オフセット成分をオフセットキャンセル部でキャンセルすればよい。
【００２９】
また、送信系統であれば、デジタルのベースバンド信号をアナログ信号に変換して高周波信号処理部に供給するＤ／Ａ変換部を設ければよい。
【００３０】
直流オフセット検出部やオフセットキャンセル部は、減算器もしくは加算器を含んで構成するとよい。回路を極めてコンパクトに構成できる。
【発明の効果】
【００３１】
本発明に依れば、直流オフセット検出用の基準信号と、この基準信号に対応する調整信号を用いつつ、信号系路の切り替えと連動して、直流オフセット成分の検出とメインパス上で発生する直流オフセット成分のキャンセルとを行なうようにした。
【００３２】
これにより、コンパクトな回路構成で、直流オフセット回路を構成することができるようになった。
【００３３】
また、受信装置と送信装置とを一体的に構成する場合には、送信系統の直流オフセット成分を検出する機能部分の一部を、受信系統の直流オフセット成分を検出する機能部分で担当させるように構成すれば、送信側と受信側とを纏めて構成することも可能になり、さらにシンプルな回路構成で実現できるようになる。
【発明を実施するための最良の形態】
【００３４】
以下、図面を参照して本発明の実施形態について詳細に説明する。
【００３５】
＜通信装置の概略構成＞
図１は、本発明に係る通信装置の第１実施形態の概略構成を示すブロック図である。適用される通信規格としては、たとえば、ＩＥＥＥ（Institute of Electrical and Electronic Engineers；米国電気電子技術者協会）で制定されている２．４ＧＨｚ帯の無線ＬＡＮ（Local Area Network）規格である８０２．１１（２Ｍｂｐｓ）や８０２．１１ｂ（１１Ｍｂｐｓ）、あるいは８０２．１１ｇ（２０Ｍｂｐｓ超）、さらには５ＧＨｚ帯を使う８０２．１１ａなどが考えられる。もちろんこれらは一例であって、ここで例示したものに限定されない。
【００３６】
この通信装置１は、高周波アナログ信号を処理するＲＦ信号処理部１０と、アナログ信号から変換したデジタル信号に対して変調処理や復調処理をするベースバンド信号処理部３０とを有している。
【００３７】
なお、本発明の実施形態としては、ＲＦ系統とベースバンド系統にのみ関連があるので、ＲＦ信号処理部１０やベースバンド信号処理部３０のみを示しているが、実際には、たとえばベースバンド信号処理部３０の後段（受信系統の場合）や前段（送信系統の場合）には、復調されたもしくは変調する映像信号や音声信号を取り扱うデコードやエンコードなどの処理機能部分が設けられる。
【００３８】
受信処理時には、受信用アンテナ５からＲＦ信号Ｓ１０を取り込みＲＦ信号処理部１０でベースバンド信号Ｓ１６に復調してからベースバンド信号処理部３０でさらに復調処理して映像信号や音声信号を表す所定の復調データＳ２８を生成する。また、送信処理時には、所望の変調対象データＳ３０をベースバンド信号処理部３０に供給して変調し、ＲＦ信号処理部１０でＲＦ信号Ｓ４４に変調してから図示しない電力増幅アンプで電力増幅した後に送信用アンテナ７から送信出力（Ｓ４８）する。
【００３９】
ＲＦ信号処理部１０は、受信用アンテナ５および送信用アンテナ７を切り替える信号系路切替部の一例であるアンテナ切替部１１と、アンテナ切替部１１の切替動作を制御する切替制御部２２とを備える。なお、受信用アンテナ５と送信用アンテナ７とは共通のものを使用することができる。この場合、それに応じてアンテナ切替部１１内のスイッチの構成も変更する。ここでは、その具体的な構成については図示を割愛する。
【００４０】
アンテナ切替部１１としては、主に受信用アンテナ５を対象として切替動作を行なうスイッチとしてのアンテナ切替部１８と、主に送信用アンテナ７を対象として切替動作を行なうスイッチとしてのアンテナ切替部２８とを有している。アンテナ切替部１８としては、切替端子ａ，ｂ，ｃを有する３入力−１出力型のものを使用する。また、アンテナ切替部２８としては、切替端子ａ，ｂを有する２入力−１出力型のものを使用する。
【００４１】
また、ＲＦ信号処理部１０は、受信側の信号処理系統として、アンテナ切替部１８からの受信ＲＦ信号や送信ＲＦ信号に対して信号処理を行なう受信ＲＦ信号処理部１４、および受信ＲＦ信号処理部１４による処理済みの高周波アナログ信号をデジタルデータに変換するＡ／Ｄ変換部１６を備えている。
【００４２】
また、ＲＦ信号処理部１０は、送信側の信号処理系統として、ベースバンド信号処理部３０からのデジタルデータをアナログ信号に変換するＤ／Ａ変換部２４、およびＤ／Ａ変換部２４によりアナログ化された送信ＲＦ信号に対して信号処理を行なう送信ＲＦ信号処理部２６を有する。
【００４３】
受信ＲＦ信号処理部１４や送信ＲＦ信号処理部２６には、たとえば直交ミキサや局部発振器や移相器などが設けられる（詳細は後述する）。
【００４４】
本実施形態のベースバンド信号処理部３０は、デジタル変調方式として、マルチパス妨害に強い直交周波数分割多重（ＯＦＤＭ；Orthogonal Frequency Division Multiplex ）変調方式や相補符号キーイング（ＣＣＫ；Complementary Code Keying ）を採用した変復調処理部（ＯＦＤＭ／ＣＣＫ）３２を備える。
【００４５】
また、ベースバンド信号処理部３０は、ＲＦ信号処理部１０で発生する直流オフセット成分を抑制するための補正処理を制御する補正制御部３４と、補正制御部３４の制御の元で、ＲＦ信号処理部１０で発生する直流オフセット成分を抑制する直流オフセット補正処理部４０とを備える。
【００４６】
変復調処理部３２は、ＤＳＰ（Digital Signal Processing ；ディジタル信号処理）などのデジタル回路で構成されている。この変復調処理部３２は、たとえば、ＦＦＴ（高速フーリエ変換）処理やＩＦＦＴ（逆高速フーリエ変換）処理、デマッピング処理、シンボルタイミング検出処理、周波数補正処理（ＡＦＣ（Automatic Frequency Control ）；自動周波数制御）、デインタリーブ（De-Interleave ）処理、デパンクチャ（De-Puncture ）処理、ビタビ（Vitabi）アルゴリズムを用いたエラー訂正処理、スクランブル（Scramble）処理やデスクランブラ（De-Scramble ）処理、あるいは符号化処理であるエンコード（Encode）処理やデコード（Decode）処理などを行なう。
【００４７】
直流オフセット補正処理部４０は、それぞれ切替端子ａ，ｂを有する２入力−１出力型の信号系統を切り替えるスイッチ４２，４４，４６を含む信号系路切替部４１と、信号の減算処理をする複数の減算器５２，５４，５６を含む直流オフセット検出部５０と、信号の加算処理をする複数の加算器６２，６４を含むオフセットキャンセル部６０と、直流オフセット検出部５０において検出したオフセットデータを保持するデータ保持部（データレジスタ）７０とを有する。
【００４８】
減算器５２，５４，５６は、調整データとして“正”の値を一方に入力して直流オフセット成分を検出する構成とする場合のものであり、調整データとして“負”の値を一方に入力して直流オフセット成分を検出する構成とする場合は、加算器に置き換えればよい。
【００４９】
同様に、加算器６２，６４は、検出した直流オフセット成分を“負”の値として一方に入力して直流オフセット成分をキャンセルする構成とする場合のものであり、検出した直流オフセット成分を“正”の値として一方に入力して直流オフセット成分をキャンセルする構成とする場合には、減算器に置き換えればよい。
【００５０】
つまり、直流オフセット検出部５０やオフセットキャンセル部６０を構成する機能部としては、一方の入力端子に入力される信号が“正”であるのか“負”であるのかに応じて、加算器もしくは減算器を選択して設ければよい。
【００５１】
なお、スイッチ４２，４４に関しては、本発明の実施形態としては必須の構成要素ではなく、これらを取り除き、信号Ｓ１６を直接に減算器５２，５４および加算器６２に入力してもよい。
【００５２】
データ保持部７０は、補正制御部３４の制御の元で、受信モード時には、減算器５２と加算器６２との間に配される一方で、送信モード時には、減算器５２と減算器５４との間、並びに減算器５６と加算器６４との間に配される。ここでは、そのための切替スイッチは、図示を割愛する。
【００５３】
なお、図示するポイントＰ１と減算器５２の出力との間にレジスタを配し、また、減算器５６の出力と加算器６４の一方の入力との間にレジスタを配してデータ保持部７０を構成してもよい。こうすることで、切替スイッチを使用しなくてもよくなる。
【００５４】
減算器５２は、受信系統の直流オフセット量を検出する主要機能部であり、スイッチ４４を介して一方の入力端子に供給される基準データＳ２２と他方の入力端子に供給される調整データＳ６４との差（Ｓ６４−Ｓ２２）を取って、その差分データＳ２４を取得し、取得した差分データＳ２４をデータ保持部７０に供給する。
【００５５】
加算器６２は、受信系統の直流オフセットを補正する主要機能部であり、データ保持部７０に保持しておいた受信系統のオフセットデータＳ５２（実質的には差分データＳ２４）を読み出し、スイッチ４２を介して一方の入力端子に供給されるメインパスの受信データと加算することで、受信系統の直流オフセット分を補正する。加算器６２は、この補正済みのデータＳ２６を変復調処理部３２に供給する。
【００５６】
減算器５４と減算器５６とは、送信系統の直流オフセット量を検出する主要機能部である。なお、本実施形態において、送信系統の直流オフセット量を検出する機能部としては、実質的には、受信ＲＦ信号処理部１４やＡ／Ｄ変換部１６も含まれると考えることもできる。
【００５７】
減算器５４は、スイッチ４４を介して一方の入力端子に供給される基準データＳ５０と他方の入力端子に供給される調整データＳ６０との差（Ｓ５０−Ｓ６０）を取って差分データＳ５４を取得し、取得した差分データＳ５４を減算器５６に供給する。
【００５８】
減算器５６は、減算器５４から一方の入力端子に供給される差分データＳ５４と他方の入力端子に入力される調整データＳ６６との差（Ｓ６６−Ｓ５４）を取って差分データＳ５６を取得し、取得した差分データＳ５６をデータ保持部７０に供給する。
【００５９】
加算器６４は、送信系統の直流オフセットを補正する主要機能部であり、データ保持部７０に保持しておいた送信系統のオフセットデータＳ５８（実質的には差分データＳ５６）を読み出し、変復調処理部３２から一方の入力端子に供給されるメインパスの送信データＳ３２と加算することで、送信系統の直流オフセット分を補正する。加算器６２は、この補正済みの送信データＳ３４をスイッチ４６を介してＲＦ信号処理部１０に供給する。
【００６０】
ここで、受信側のメインパスでは次のような動作をする。受信モード時には、図中太い実線で示すメインパスに信号系路が切り替わっている。たとえば、ＲＦ信号処理部１０は、アンテナ切替部１８が切替端子ａ側に切り替わっており、受信用アンテナ５により送信波を受信することで受信ＲＦ信号としてＲＦ信号処理部１０に取り込み、アンテナ切替部１８を経由して受信ＲＦ信号処理部１４に供給する。ＲＦ信号Ｓ１２は、受信ＲＦ信号処理部１４で復調されＡ／Ｄ変換部１６でベースバンドのデジタル信号Ｓ１６に変換された後に、ベースバンド信号処理部３０の直流オフセット補正処理部４０に供給される。
【００６１】
直流オフセット補正処理部４０では、スイッチ４２が切替端子ａ側に切り替わっており、Ａ／Ｄ変換部１６でデジタル化されたベースバンド信号Ｓ１６は、スイッチ４２を経由して加算器６２を通過し、復調済みデータＳ２６として変復調処理部３２に供給される。
【００６２】
変復調処理部３２は、復調済みデータＳ２６をさらに復調処理して、映像信号や音声信号を表す所定の復調データＳ２８を生成し、ベースバンド信号処理部３０の図中右側に設けられる図示しない上位層に渡す。
【００６３】
また、送信側のメインパス（パス；信号系路）では次のような動作をする。送信モード時にも、図中太い実線で示すメインパスに信号系路が切り替わっている。たとえば、ベースバンド信号処理部３０の図中右側に設けられる図示しない上位層で組み立てられた変調対象データ（送信データ）Ｓ３０は、ベースバンド信号処理部３０の変復調処理部３２で変調され、変調済みデータＳ３２が直流オフセット補正処理部４０に入力される。
【００６４】
直流オフセット補正処理部４０では、スイッチ４６が切替端子ａ側に切り替わっており、変調済みデータＳ３２が加算器６４を通過してスイッチ４６を経由して、変調済みデータＳ４０としてＲＦ信号処理部１０に供給される。
【００６５】
ＲＦ信号処理部１０では、アンテナ切替部２８が切替端子ａ側に切り替わっており、ベースバンド信号処理部３０から供給された変調済みデータＳ４０をＤ／Ａ変換部２４でアナログ信号Ｓ４２に変換し、送信ＲＦ信号処理部２６でＲＦ信号Ｓ４４に変調してから、送信用アンテナ７を介して送信信号Ｓ４８として出力する。
【００６６】
図２は、受信ＲＦ信号処理部１４の一構成例を示したブロック図である。この受信ＲＦ信号処理部１４は、ダイレクトコンバージョン方式を採用した構成となっている。
【００６７】
図１に示したアンテナ切替部１８を介して入力されるＲＦ信号Ｓ１２は、低ノイズ増幅部（ＬＮＡ；Low Noise Amplifier ）１０２に入力され、所定レベルの信号に増幅された後に、内部の２つのＲＦミキサ（RF Mixer ）部１１０，１１２に供給される。
【００６８】
そして、一方のＲＦミキサ部１１０において、局部発振器としての電圧制御発振器１１４の局部発振周波数ｆLOと乗算し、また、他方のＲＦミキサ部１１２において、９０度移相部１１６で生成される局部発振周波数ｆLOに対する直交成分周波数ｆ90と乗算することで、直交復調して複素ベースバンド信号へと変換する。これにより、同相成分信号Ｉと直交成分信号Ｑとを取り出す。
【００６９】
その後、同相成分信号Ｉはローパスフィルタ（ＬＰＦ；Low Pass Filter ）として構成されている帯域制限部１２０で帯域制限され、信号増幅部１３０で所定レベルに増幅されて出力される。同様に、直交成分信号Ｑはローパスフィルタ（ＬＰＦ）として構成されている帯域制限部１２２で帯域制限され、信号増幅部１３２で所定レベルに増幅されて出力される。
【００７０】
図３は、送信ＲＦ信号処理部２６の一構成例を示したブロック図である。この送信ＲＦ信号処理部２６は、ダイレクトコンバージョン方式を採用した構成となっている。
【００７１】
図１に示したＤ／Ａ変換部２４を介して入力されるアナログ信号Ｓ４２としての同相成分信号Ｉは、信号増幅部２１０で所定レベルに増幅された後、ローパスフィルタ（ＬＰＦ）として構成されている帯域制限部２２０で帯域制限されて、一方のＲＦミキサ部２３０に供給される。同様に、Ｄ／Ａ変換部２４を介して入力されるアナログ信号Ｓ４２としての直交成分信号Ｑは、信号増幅部２１２で所定レベルに増幅された後、ローパスフィルタ（ＬＰＦ）として構成されている帯域制限部２２２で帯域制限されて、他方のＲＦミキサ部２３２に供給される。
【００７２】
そして、一方のＲＦミキサ部２３０において、局部発振器としての電圧制御発振器２３４の局部発振周波数ｆLOと乗算し、また、他方のＲＦミキサ部２３２において、９０度移相部２３６で生成される局部発振周波数ｆLOに対する直交成分周波数ｆ90と乗算することで、直交変調して複素ＲＦ信号へと変換する。これにより、同相成分信号Ｉと直交成分信号Ｑの各ＲＦ信号を取り出す。
【００７３】
これら同相成分信号Ｉと直交成分信号Ｑの各ＲＦ信号は、加算されて電力増幅部（ＰＡ；Power Amplifier ）２４２に供給され、この電力増幅部２４２で電力増幅された後に、送信信号Ｓ４４として図１に示すアンテナ切替部２８に供給される。
【００７４】
ここで、送受信処理の際には、受信側および送信側ともにＲＦ信号処理部１４，２６のアナログ回路（たとえばＲＦミキサ部１１０，１１２，２３０，２３２など）で直流オフセットが発生する可能性がある。この直流オフセットによりＡ／Ｄ変換部１６やＤ／Ａ変換部２４のダイナミックレンジを損なうこととなる。この直流オフセットをキャンセルするため、本実施形態の通信装置１では、補正制御部３４と直流オフセット補正処理部４０とが設けられている。
【００７５】
ここで、本実施形態の直流オフセット補正処理部４０としては、送受信のパス（信号系路）上で、連携したスイッチ動作をする回路構成を採り、オフセットデータを受信系統から取り入れてベースバンド信号処理部３０で減算処理する一連の動作により、直流オフセットをキャンセルするようにしている点に特徴を有する。
【００７６】
オフセットデータを受信系統から取り入れる際には、測定用の基準信号をＲＦ信号処理部１０に供給し、直流オフセットの測定を行ない、取得したオフセットデータをデータ保持部７０に保存しておく。そして、送受信の通常動作時には、データ保持部７０に保存しておいたオフセットデータ（オフセット分）をメインパス上で減算することにより、メインパス上の直流オフセットをキャンセルする。
【００７７】
受信系統のオフセットデータを取得する際には、測定用の基準信号を受信用のＲＦ信号処理部にそのまま供給すればよい。一方、送信系統のオフセットデータを取得する際には、測定用の基準信号を送信用のＲＦ信号処理部に供給しＲＦ信号に変調されたものを、一旦受信用のＲＦ信号処理部に相当する検出用のＲＦ復調回路でベースバンド信号に戻してオフセットデータを取得する。
【００７８】
ここで、図１に示した通信装置１では、受信系統と送信系統とを一体的に構成しているので、送信系統のオフセットデータを取得する際には、受信ＲＦ信号処理部１４を利用することができる。つまり、受信オフセットデータを予め取得しておいて、基準信号を変調した送信ＲＦ信号を受信ＲＦ部に合流させて送信系統と受信系統のトータルのオフセットデータを取得し、このトータルのオフセットデータから受信オフセットデータ分を差し引くことで、送信オフセット分を検出する。
【００７９】
具体的には、測定用の基準信号を送信ＲＦ信号処理部２６に供給し、送信ＲＦ信号処理部２６で変調されたＲＦ信号Ｓ４４をアンテナ切替部２８およびアンテナ切替部１８を順に経由させて受信ＲＦ信号処理部１４に供給して直流オフセットの測定を行ない、予め取得しておいた受信系統のオフセット値を差し引くことで、送信系統のオフセットデータを取得する。
【００８０】
以下、受信系統と送信系統の各直流オフセット補正機能について具体的に説明する。
【００８１】
＜受信側パスにおける直流オフセット補正＞
図４は、図１に示した通信装置１において、受信側パスにおける直流オフセットを抑制（Repression）もしくは除去（Cancellation）する、すなわち直流オフセットを補正する処理を説明する図である。また、図５は、受信側パスにおける直流オフセット補正処理の手順の概要を説明するフローチャートである。
【００８２】
受信系統のオフセットデータを取得するため、信号系路を、受信系統のメインパスから受信系統測定モード用に設定するべく、アンテナ切替部１１と直流オフセット補正処理部４０の各スイッチを、実質的に同時に受信系統測定パス（図中太い実線で示すパス）に切り替える（Ｓ１００）。
【００８３】
具体的には、先ず、切替制御部２２は、アンテナ切替部１１において、アンテナ切替部１８を切替端子ｂ側、すなわち測定用の基準信号Ｓ６２の供給側に切り替える（Ｓ１０２）。アンテナ切替部２８については、何れの切替端子ａ，ｂにあってもよい。
【００８４】
また、補正制御部３４は、直流オフセット補正処理部４０において、スイッチ４２を切替端子ｂ側、すなわちスイッチ４４側に切り替えるとともに、スイッチ４４を切替端子ａ側、すなわちオフセットキャンセル作用をなす減算器５２側に切り替える（Ｓ１０４）。スイッチ４６については、何れの切替端子ａ，ｂにあってもよい。
【００８５】
このように、信号系路を受信系統測定モード用に設定した後には、直流オフセット補正処理部４０に受信系統のオフセットデータを取り入れる（Ｓ１１０）。具体的には、先ず、基準信号Ｓ６２をアンテナ切替部１８の切替端子ｂに供給する（Ｓ１１２）。基準信号Ｓ６２としては、たとえばＲＦ信号処理部１０の電源電圧ＶＤＤ（たとえば５Ｖや３Ｖなど）の半値である１／２ＶＤＤとする。この基準信号Ｓ６２は、受信ＲＦ信号処理部１４を通り、Ａ／Ｄ変換部１６に供給される。ここでは、一例として、Ａ／Ｄ変換部１６の分解能が電源電圧ＶＤＤに対して４ビット（ｂｉｔ）であるものとする。
【００８６】
直流オフセット補正処理部４０は、基準信号Ｓ６２をＡ／Ｄ変換部１６でデジタル化した基準データＳ１６を取り込む（Ｓ１１４）。この取り込まれた基準データＳ１６は、スイッチ４２およびスイッチ４４を経由して減算器５２の一方の入力端子に基準データＳ２２として入力される（Ｓ１１６）。
【００８７】
補正制御部３４は、減算器５２の他方の入力端子に調整データＳ６４が供給されるようにする（Ｓ１１８）。調整データＳ６４としては、基準信号Ｓ６２として１／２ＶＤＤが供給されたときに、受信系統の直流オフセットがないとした場合に、その分のデジタル値をキャンセルするような値とする。たとえば、ここではヘキサデータ（１６進値）で“１０００ｈ”とする。この“１０００ｈ”は、Ａ／Ｄ変換部１６の分解能（４ビット）に対して、デジタルの半値すなわち１／２Digital である。
【００８８】
減算器５２は、基準データＳ２２（１／２ＶＤＤ）と調整データＳ６４（１０００ｈ）との差を取り、差分データＳ２４を出力する（Ｓ１２０）。これにより、ベースバンド信号処理部３０に送られた基準データＳ１６は、減算器５２により“１０００ｈ”の値を減算される。
【００８９】
減算器５２は、受信ＲＦ信号処理部１４に供給された基準信号Ｓ６２（１／２Digital ）の値をキャンセルしているので、残りの差分データＳ２４が受信側パスの直流オフセット分である。
【００９０】
直流オフセット補正処理部４０は、このようにして取得した受信側パスの直流オフセット分を示す差分データＳ２４をデータ保持部７０に格納する（Ｓ１２２）。よって、データ保持部７０には、受信系統のオフセットデータが蓄積される。
【００９１】
この後、通常の受信処理時には、信号系路を、受信系統測定モード用から受信系統のメインパスに切り替えるべく、アンテナ切替部１１と直流オフセット補正処理部４０の各スイッチを、実質的に同時に受信系統のメインパスに切り替える（Ｓ１３０）。具体的には、先ず、切替制御部２２は、アンテナ切替部１１において、アンテナ切替部１８を切替端子ａ側に切り替える（Ｓ１３０）。アンテナ切替部２８については、何れの切替端子ａ，ｂにあってもよい。
【００９２】
また、補正制御部３４は、直流オフセット補正処理部４０において、スイッチ４２を切替端子ａ側、すなわちメインパスである加算器６２側に切り替える（Ｓ１３２）。スイッチ４４とスイッチ４６については、何れの切替端子ａ，ｂにあってもよい。
【００９３】
こうすることで、通信装置１は、データ受信状態になり、直流オフセット補正処理部４０におけるオフセット補正動作が機能するようになる（Ｓ１４０）。
【００９４】
たとえば、ＲＦ信号を受信用アンテナ５で受信し（Ｓ１４２）、受信ＲＦ信号処理部１４にて復調した後に（Ｓ１４４）、Ａ／Ｄ変換部１６でベースバンドのデジタル信号Ｓ１６に変換して（Ｓ１４６）、ベースバンド信号処理部３０の直流オフセット補正処理部４０に供給する（Ｓ１４８）。
【００９５】
直流オフセット補正処理部４０において、加算器６２は、データ保持部７０に保持しておいた受信系統のオフセットデータＳ５２と、スイッチ４２を介して取り込んだ受信データＳ１８とを加算する（Ｓ１５０）。
【００９６】
データ保持部７０には、直流オフセットがないとした場合の基準値との差を示す差分データＳ２４が保持されているので、データ保持部７０から読み出した差分データＳ２４に対応する受信系統のオフセットデータＳ５２と受信データＳ１８とを加算すれば、受信時のメイン信号から直流オフセット量を差し引くことができ、結果として、加算器６２は、受信系統の直流オフセット分が補正された補正済みデータＳ２６を取得できる。加算器６２は、この補正済みデータＳ２６を変復調処理部（ＯＦＤＭ／ＣＣＫ）３２に供給する（Ｓ１５０）。
【００９７】
このように、受信系統の直流オフセットを補正するようにすることで、直流オフセットに起因した問題を解消できる。たとえばＡ／Ｄ変換部１６のダイナミックレンジを有効活用できる。
【００９８】
また上記実施形態の構成では、アンテナ切替部１８およびスイッチ４２，４４と言った３つのスイッチと、減算器５２および加算器６２のみで直流オフセット補正回路を構成し、連携したスイッチ動作を行ないつつ、直流オフセット量を検出して一旦保持した後、受信時のメイン信号から直流オフセット量を差し引くことで、受信系統の直流オフセットを補正することができるので、コンパクトに直流オフセット補正回路を構成することができる。
【００９９】
＜送信側パスにおける直流オフセット補正＞
図６は、図１に示した通信装置１において、送信側パスにおける直流オフセットを抑制もしくは除去する（すなわち補正する）処理を説明する図である。また、図７は、送信側パスにおける直流オフセット補正処理の手順の概要を説明するフローチャートである。
【０１００】
送信系統のオフセットデータを取得するため、信号系路を、送信系統のメインパスから送信系統測定モード用に設定するべく、アンテナ切替部１１と直流オフセット補正処理部４０の各スイッチを、実質的に同時に受信系統測定パス（図中太い実線で示すパス）に切り替える（Ｓ２００）。
【０１０１】
具体的には、先ず、切替制御部２２は、アンテナ切替部１１において、アンテナ切替部１８を切替端子ｃ側、すなわちアンテナ切替部２８側に切り替えるとともに、アンテナ切替部２８を切替端子ｂ側、すなわちアンテナ切替部１８側に切り替える（Ｓ２０２）。
【０１０２】
また、補正制御部３４は、直流オフセット補正処理部４０において、スイッチ４２を切替端子ｂ側、すなわちスイッチ４４側に切り替え、またスイッチ４４を切替端子ｂ側、すなわちオフセットキャンセル作用をなす減算器５４側に切り替え、さらにスイッチ４６を切替端子ｂ側、すなわち測定用の基準信号Ｓ６８の供給側に切り替える（Ｓ２０４）。
【０１０３】
このように、信号系路を送信系統測定モード用に設定した後には、直流オフセット補正処理部４０に送信系統のオフセットデータを取り入れる（Ｓ２１０）。具体的には、先ず、基準信号Ｓ６８をスイッチ４６の切替端子ｂに供給する（Ｓ２１２）。基準信号Ｓ６８としては、たとえばＤ／Ａ変換部２４の分解能の半値である１／２Digital とする。
【０１０４】
直流オフセット補正処理部４０は、基準信号Ｓ６８をＲＦ信号処理部１０のＤ／Ａ変換部２４に供給する（Ｓ２１４）。Ｄ／Ａ変換部２４は、基準信号Ｓ６８を、アナログ信号Ｓ４２に変換する（Ｓ２１６）。
【０１０５】
ここでは、一例として、Ｄ／Ａ変換部２４の分解能が電源電圧ＶＤＤに対して４ビット（ｂｉｔ）であるものとする。この場合、Ｄ／Ａ変換部２４は、その分解能（４ビット）に対して半値である１／２Digital （１０００ｈ）の基準信号Ｓ６８をアナログ信号に変換するので、送信ＲＦ信号処理部２６に送られる信号Ｓ４２は１／２ＶＤＤとなる。
【０１０６】
送信ＲＦ信号処理部２６は、この基準信号Ｓ６８に対応する１／２ＶＤＤをＲＦ信号Ｓ４４に変調し、アンテナ切替部２８およびアンテナ切替部１８を順次経由して受信ＲＦ信号処理部１４に供給する（Ｓ２１８）。つまり、アンテナ切替部２８、アンテナ切替部１８で切り替えた経路を通り、受信系統の受信系統測定モード用のパスに合流させる。
【０１０７】
直流オフセット補正処理部４０は、基準信号Ｓ６８に対応する１／２ＶＤＤをＡ／Ｄ変換部１６でデジタル化した基準データＳ１６を取り込む（Ｓ２２４）。この取り込まれた基準データＳ１６は、スイッチ４２およびスイッチ４４を経由して減算器５４の一方の入力端子に基準データＳ５０として入力される（Ｓ２２６）。
【０１０８】
補正制御部３４は、減算器５４の他方の入力端子に調整データＳ６０が供給されるようにする（Ｓ２２８）。具体的には、前述した受信系統測定モードにおいて取得しデータ保持部７０に保持しておいた受信系統のオフセットデータＳ５２を読み出し、減算器５４の他方の入力端子に調整データＳ６０として供給されるようにする。
【０１０９】
減算器５４は、基準データＳ５０（１／２Digital ）と調整データＳ６４（１／２Digital ）との差を取り（Ｓ２３０）、差分データＳ５４を減算器５６の一方の入力端子に供給する（Ｓ２３２）。これにより、ベースバンド信号処理部３０から送信ＲＦ信号処理部２６を経由して受信ＲＦ信号処理部１４に供給された基準信号Ｓ６８は、減算器５４により“１／２Digital ”の値を減算される。つまり、基準信号Ｓ６８は、受信側パスで発生した直流オフセット値が減算され、残りのデータが送信側パスの直流オフセット分を表すようになる。
【０１１０】
次に補正制御部３４は、減算器５６の他方の入力端子に調整データＳ６６が供給されるようにする（Ｓ２３４）。調整データＳ６６としては、基準信号Ｓ６８として１／２ＶＤＤが供給されたときに、受信系統および送信系統の直流オフセットがないとした場合に、その分のデジタル値をキャンセルするように、１／２Digital （本例では１０００ｈとする。
【０１１１】
減算器５６は、基準データＳ６８（１／２Digital ）から受信系統の直流オフセット分を相殺した差分データＳ５４との差を取り、差分データＳ５６を出力する（Ｓ２３６）。減算器５６は、ベースバンド信号処理部３０から送信ＲＦ信号処理部２６を経由して受信ＲＦ信号処理部１４に供給された基準信号Ｓ６８（１／２Digital ）の値をキャンセルするが、減算器５４によって受信側パスで発生する直流オフセット値が減算されているので、残りのデータが送信側パスの直流オフセット分となる。
【０１１２】
直流オフセット補正処理部４０は、このようにして取得した送信側パスの直流オフセット分をデータ保持部７０に格納する（Ｓ２３８）。よって、データ保持部７０には、送信系統のオフセットデータが蓄積される。
【０１１３】
この後、通常の送信処理時には、信号系路を、送信系統測定モード用から送信系統のメインパスに切り替えるべく、アンテナ切替部１１と直流オフセット補正処理部４０の各スイッチを、実質的に同時にメインパスに切り替える（Ｓ２４０）。具体的には、先ず、切替制御部２２は、アンテナ切替部１１において、アンテナ切替部２８を切替端子ａ側に切り替える（Ｓ２４２）。アンテナ切替部１８については、何れの切替端子ａ，ｂにあってもよい。
【０１１４】
また、補正制御部３４は、直流オフセット補正処理部４０において、スイッチ４６を切替端子ａ側、すなわちメインパスである加算器６４側に切り替える（Ｓ２４４）。スイッチ４２とスイッチ４４については、何れの切替端子ａ，ｂにあってもよい。
【０１１５】
こうすることで、通信装置１は、データ送信状態になり、直流オフセット補正処理部４０におけるオフセット補正動作が機能するようになる（Ｓ２５０）。
【０１１６】
たとえば、変復調処理部３２は変調対象データ（送信データ）Ｓ３０を取り込んでデジタル変調処理をし、変調済みデータＳ３２を直流オフセット補正処理部４０の加算器６４に供給する（Ｓ２５２）。
【０１１７】
直流オフセット補正処理部４０において、加算器６４は、データ保持部７０に保持しておいた送信系統のオフセットデータＳ５８と、変復調処理部３２から取り込んだ送信データＳ３２とを加算する（Ｓ２５４）。加算器６４は、この加算データＳ３４を、スイッチ４６を経由して、ＲＦ信号処理部１０に供給する（Ｓ２５６）。
【０１１８】
ここで、データ保持部７０には、直流オフセットがないとした場合の基準値との差を示す差分データＳ５６が保持されているので、データ保持部７０から読み出した差分データＳ５６に対応する送信系統のオフセットデータＳ５８と送信データＳ３２とを加算すれば、送信時のメイン信号から直流オフセット量を差し引くことができ、結果として、加算器６４は、送信系統の直流オフセット分が補正された補正済みデータＳ３４を取得できる。
【０１１９】
ＲＦ信号処理部１０では、ベースバンド信号処理部３０から供給された送信系統の直流オフセットが補正された変調済みデータＳ４０をＤ／Ａ変換部２４でアナログ信号Ｓ４２に変換し（Ｓ２６０）、送信ＲＦ信号処理部２６でＲＦ信号Ｓ４４に変調してから（Ｓ２６２）、送信用アンテナ７を介して送信信号Ｓ４８として出力する（Ｓ２６４）。
【０１２０】
このように、送信系統の直流オフセットを補正するようにすることで、直流オフセットに起因した問題を解消できる。たとえばＤ／Ａ変換部２４のダイナミックレンジを有効活用できる。
【０１２１】
また上記実施形態の構成では、アンテナ切替部１８，２８およびスイッチ４２，４４，４６と言った５つのスイッチと、減算器５２，５２，５４および加算器６４のみで直流オフセット補正回路を構成し、連携したスイッチ動作を行ないつつ、直流オフセット量を検出して一旦保持した後、送信時のメイン信号から直流オフセット量を差し引くことで、送信系統の直流オフセットを補正することができるので、コンパクトに直流オフセット補正回路を構成できる。
【０１２２】
また、図１に示した通信装置１では、受信系統と送信系統とを一体的に構成している点に着目して、送信系統の直流オフセットデータを取得する際に、ベースバンド信号処理部３０側から送信ＲＦ信号処理部２６に測定用の基準信号Ｓ６８を供給した後に、受信系統測定モードに設定されている受信系統に合流させることで、受信系統の回路を利用するようにしたので、受信側と送信側とに関しての直流オフセット回路を纏めることができ、非常にコンパクトな回路構成にすることができる。
【０１２３】
なお、上記説明では、送信系統の送信ＲＦ信号処理部２６で発生する直流オフセット成分をキャンセルする際、先ず、受信ＲＦ信号処理部１４にて発生する直流オフセット成分を検出するための基準信号Ｓ６２について受信ＲＦ信号処理部１４から出力された測定信号Ｓ１６と、その基準信号Ｓ６２に対応する調整信号Ｓ６４とに基づいて受信ＲＦ信号処理部１４にて発生する直流オフセット成分を減算器５２で検出してデータ保持部７０に格納しておく。
【０１２４】
そしてこの後に、送信ＲＦ信号処理部２６に送信系統の基準信号Ｓ６８を供給して送信ＲＦ信号処理部２６と受信ＲＦ信号処理部１４とを併せた復調測定信号Ｓ１６から受信ＲＦ信号処理部１４にて発生する直流オフセット成分を差し引くことで受信ＲＦ信号処理部１４の影響を排除した後に、送信ＲＦ信号処理部２６にて発生する直流オフセット成分を求めてデータ保持部７０に保存していた。
【０１２５】
しかしながら、このような手法に限らず、様々な変形が可能である。要するに、受信ＲＦ信号処理部１４で発生する直流オフセット成分と、送信ＲＦ信号処理部２６および受信ＲＦ信号処理部１４で発生するトータルの直流オフセット成分とから送信ＲＦ信号処理部２６で発生する直流オフセット成分を抽出することで、受信ＲＦ信号処理部１４にて発生する直流オフセット成分をキャンセルしつつ、送信ＲＦ信号処理部２６にて発生する送信系統のメイン信号に含まれる直流オフセット成分をキャンセルすればよい。
【０１２６】
たとえば、受信ＲＦ信号処理部１４の直流オフセット成分をキャンセルする機能部分である減算器５４を減算器５６の後段に配してもよい。スイッチ４４の切替端子ｂと減算器５６とを接続するとともに、減算器５４をデータ保持部７０と加算器６４との間に配する構成を採ることもできる。
【０１２７】
後者の場合、スイッチ４４から出力された信号Ｓ５０と基準信号Ｓ６８に対応する調整データＳ６６との差分データＳ５６、すなわち送信ＲＦ信号処理部２６の直流オフセット成分に加えて受信ＲＦ信号処理部１４の直流オフセット成分を含むデータを減算器５６で求め、これをデータ保持部７０に格納しておく。
【０１２８】
メインパスに切り替えた後には、データ保持部７０からデータＳ５８（実質的にはＳ５６）と受信ＲＦ信号処理部１４の直流オフセット成分を示すデータＳ５２（実質的にはＳ２４）とを読み出し、減算器５４によりデータＳ５８からデータＳ５２を差し引くことで受信ＲＦ信号処理部１４にて発生する直流オフセット成分をキャンセルすることで送信ＲＦ信号処理部２６の直流オフセット成分を抽出してから加算器６４に供給する。加算器６４は、送信ＲＦ信号処理部２６にて発生する直流オフセット成分をキャンセルする。
【０１２９】
＜第２実施形態＞
図８は、本発明に係る通信装置の第２実施形態の概略構成を示すブロック図である。この第２実施形態は、送信装置が、受信装置と別体のものとなっている場合において、第１実施形態と同様の直流オフセット補正機能を持つようにした点に特徴を有する。
【０１３０】
基本的な構成としては、先ず、ＲＦ信号処理部１０およびベースバンド信号処理部３０の何れについても、受信系統専用の処理回路を取り外している。
【０１３１】
また、この第２実施形態特有の構成として、送信系統の直流オフセットデータを取得するため、ＲＦ信号処理部１０は、測定用の基準信号Ｓ６８が供給される送信ＲＦ信号処理部２６の後段に、この基準信号Ｓ６８をＲＦ信号に変調した基準ＲＦ信号を復調する、受信ＲＦ信号処理部１４に相当する回路構成を持つ検出用ＲＦ信号処理部１５を配することで、受信ＲＦ信号処理部１４に置き換えている。
【０１３２】
第２実施形態の受信側パスにおける直流オフセットを検出する手順と同様にして検出用ＲＦ信号処理部１５が持つ直流オフセットを示す差分データＳ２４を減算器５２により取得し、データ保持部７０に格納しておく。
【０１３３】
そして、送信側パスにおける直流オフセットデータを取得する際には、測定用の基準信号Ｓ６８をベースバンド信号処理部３０側から送信ＲＦ信号処理部２６に供給し、送信ＲＦ信号処理部２６で変調されたＲＦ信号Ｓ４４を検出用ＲＦ信号処理部１５に供給して直流オフセット検出部５０の減算器５４，５４で直流オフセットの測定を行なう。
【０１３４】
ここでは、送信側パスにおける直流オフセットを検出する手順と同様にして、先ず減算器５２では、送信ＲＦ信号処理部２６と検出用ＲＦ信号処理部１５のトータルのオフセット分を含む信号Ｓ５０から、予め取得しておいた検出用ＲＦ信号処理部１５の直流オフセット分を差し引く。この後、減算器５６で、基準信号Ｓ６８に対応する調整データＳ６６との差を取ることで、送信系統のオフセットデータを示す差分データＳ５６を取得する。
【０１３５】
なお、第２実施形態では、検出用ＲＦ信号処理部１５にも直流オフセットを持つものとして、その直流オフセットの影響を排除するべく、検出用ＲＦ信号処理部１５が持つ直流オフセットを示す差分データＳ５４を減算器５４により取得し、データ保持部７０に格納しておいたが、検出用ＲＦ信号処理部１５が直流オフセットを持たない、もしくはその直流オフセットが送信ＲＦ信号処理部２６で生じる直流オフセットに対して無視できる程度である場合には、差分データＳ５４を取得しデータ保持部７０に格納しておく構成要素や処理手順は不要である。
【０１３６】
また、検出用ＲＦ信号処理部１５が持つ直流オフセット成分を検出する際に、検出用ＲＦ信号処理部１５やＡ／Ｄ変換部１６の信号経路が受信側パスと同様である点に着目して、前述の受信側パスにおける直流オフセットを検出する手順と同様の手法を使用していたが、これに限らず、その他の公知の手法を用いてもよい。
【０１３７】
＜第３実施形態＞
図９は、本発明に係る通信装置の第３実施形態の概略構成を示すブロック図である。この第３実施形態は、ベースバンド信号処理部３０がアナログ信号処理回路で構成されている場合において、第１実施形態と同様の直流オフセット補正機能を持つようにした点に特徴を有する。
【０１３８】
この場合、直流オフセット検出部５０で検出した直流オフセット成分を示すデータをデジタルデータでデータ保持部７０に保持するため、直流オフセット検出部５０とデータ保持部７０との間にＡ／Ｄ変換部７２を設ける。
【０１３９】
また、データ保持部７０に保持しておいた直流オフセット成分を示すデータを用いてメインパス上のアナログ信号から直流オフセット成分をキャンセルするため、データ保持部７０に保持しておいた直流オフセット成分を示すデータをアナログ値に戻してオフセットキャンセル部６０に供給するべく、データ保持部７０とオフセットキャンセル部６０との間に、Ｄ／Ａ変換部７４を設ける。
【０１４０】
図１に示した第１実施形態の通信装置１に対する実際の適用構成としては、直流オフセット検出部５０をなす減算器５２や減算器５６とデータ保持部７０との間にＡ／Ｄ変換部７２を設けるとよい。またオフセットキャンセル部６０をなす加算器６２や加算器６４とデータ保持部７０との間にＤ／Ａ変換部７４を設けるとよい。
【０１４１】
このような回路構成における直流オフセット成分を検出する手順や、検出した直流オフセット成分を用いてメインパス上の直流オフセット成分をキャンセルする手順は、上記実施形態で説明したものと同様である。ここでは、その説明を割愛する。
【０１４２】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１４３】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１４４】
たとえば、ＲＦ側のアンテナ系統の信号系路切替部であるアンテナ切替部１１と、直流オフセット検出部５０やオフセットキャンセル部６０やデータ保持部７０を備えた直流オフセット補正処理部４０とを別体のものとして提供することもできる。典型例としては、直流オフセット補正処理部４０を半導体集積回路（ＩＣ；Integrated Circuit）として提供することが考えられる。なお、直流オフセット補正処理部４０内の各機能部は、個別のディスクリート部材で回路構成されたものでもよい。
【０１４５】
直流オフセット補正処理部４０は、変復調処理部３２を備える半導体チップと同一の回路基板（半導体チップを含む）にて構成してもよいし、別の回路基板にて構成する、あるいはオフセット検出部５０とオフセットキャンセル部６０とデータ保持部７０も別の回路基板にて構成するなど、様々な変形が可能である。
【０１４６】
変復調処理部３２をデジタル信号処理回路で構成する場合には、直流オフセット補正処理部４０の各機能部についても、変復調処理部３２と同様にデジタル信号処理回路で構成して、変復調処理部３２と同一の回路基板にて構成することで、ベースバンド信号処理部３０の全体をコンパクトに構成するのがよい。
【０１４７】
デジタル信号処理回路で構成する場合、このような構成を採ることが非常に容易である。こうすることで、ベースバンド信号処理部３０の全体をコンパクトにできるだけなく、部材の取扱いが容易になるし、これらを低コストで実現できる。また、直流オフセット補正処理部４０の各機能部を含むベースバンド信号処理部３０の製造が容易になる。
【０１４８】
上記実施形態に依れば、ＲＦ部側で発生した直流オフセットについて受信系統、送信系統ともにキャンセルすることができる。この直流オフセット補正処理を、デジタル回路で構成されたベースバンド信号処理部３０側で行なうことで、アナログ回路として構成されるＲＦ回路側が違うチップ（Chip）に変わったとしても、アナログ側の回路構成を変更する必要がなく、デジタル信号処理内で閉じて直流オフセット成分の検出処理とキャンセル処理、つまり直流オフセット補正処理を実現できる。
【図面の簡単な説明】
【０１４９】
【図１】本発明に係る通信装置の第１実施形態の概略構成を示すブロック図である。
【図２】受信ＲＦ信号処理部の一構成例を示したブロック図である。
【図３】送信ＲＦ信号処理部の一構成例を示したブロック図である。
【図４】受信側パスにおける直流オフセットを補正する処理を説明する図である。
【図５】受信側パスにおける直流オフセット補正処理の手順の概要を説明するフローチャートである。
【図６】送信側パスにおける直流オフセットを補正する処理を説明する図である。
【図７】送信側パスにおける直流オフセット補正処理の手順の概要を説明するフローチャートである。
【図８】本発明に係る通信装置の第２実施形態の概略構成を示すブロック図である。
【図９】本発明に係る通信装置の第３実施形態の概略構成を示すブロック図である。
【図１０】送信装置と受信装置とが一体的に構成された従来の通信装置を示した概略図である。
【符号の説明】
【０１５０】
１…通信装置、５…受信用アンテナ、７…送信用アンテナ、１０…ＲＦ信号処理部、１１…アンテナ切替部、１４…受信ＲＦ信号処理部、１５…検出用ＲＦ信号処理部、１６…Ａ／Ｄ変換部、１８…アンテナ切替部、２２…切替制御部、２４…Ｄ／Ａ変換部、２６…送信ＲＦ信号処理部、２８…アンテナ切替部、３０…ベースバンド信号処理部、３２…変復調処理部、３４…補正制御部、４０…直流オフセット補正処理部、４１…信号系路切替部、４２，４４，４６…スイッチ、５０…直流オフセット検出部、５２，５４，５６…減算器、６０…オフセットキャンセル部、６２，６４…加算器、７０…データ保持部、７２…Ａ／Ｄ変換部、７４…Ｄ／Ａ変換部
【図１】
2005244287.tif 000003
【図２】
2005244287.tif 000004
【図３】
2005244287.tif 000005
【図４】
2005244287.tif 000006
【図５】
2005244287.tif 000007
【図６】
2005244287.tif 000008
【図７】
2005244287.tif 000009
【図８】
2005244287.tif 000010
【図９】
2005244287.tif 000011
【図１０】
2005244287.tif 000012